【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
画像を表示する表示手段と通信手段とをそれぞれ有する複数の表示装置を備え、外部装置から入力される１つの画像を分割した複数の部分画像を前記複数の表示装置で表示させて前記１つの画像を表示するマルチ表示を行う表示システムであって、
前記複数の表示装置のうち少なくとも１つの表示装置は、
前記複数の表示装置のそれぞれから、前記通信手段を介して前記表示手段において表示画素数を変換することなく表示可能な画像の表示画素数を表す第１の表示画素数情報を取得し、当該第１の表示画素数情報から前記マルチ表示を行う際に表示可能な画像の表示画素数を表す第２の表示画素数情報を算出する算出手段と、
前記算出手段で算出された前記第２の表示画素数情報を記憶する記憶手段と、
前記記憶手段に記憶された前記第２の表示画素数情報を前記外部装置に送信するように前記通信手段を制御する制御手段と、
を有することを特徴とする表示システム。
【請求項２】
前記複数の表示装置のそれぞれは、前記複数の表示装置において表示装置を管理するマスタとして機能するか前記マスタに管理されるスレーブとして機能するかを表す属性情報を格納する格納手段を更に有し、
前記少なくとも１つの表示装置の前記格納手段に格納された属性情報は、前記マスタとして機能することを表していることを特徴とする請求項１に記載の表示システム。
【請求項３】
前記複数の表示装置のそれぞれは、前記複数の表示装置において表示装置を管理するマスタとして機能させるか前記マスタに管理されるスレーブとして機能させるかを決定する決定手段を更に有し、
前記決定手段は、前記通信手段の接続先が前記外部装置を含む場合には、前記マスタとして機能させ、前記通信手段の接続先が前記外部装置を含まない場合には、前記スレーブとして機能させることを特徴とする請求項１又は２に記載の表示システム。
【請求項４】
前記少なくとも１つの表示装置は、前記外部装置から入力される１つの画像を前記複数の部分画像に分割する分割手段を更に有し、
前記記憶手段は、前記分割手段で分割された前記複数の部分画像のうち前記マルチ表示において前記複数の表示装置のそれぞれの前記表示手段が表示すべき部分画像と前記複数の表示装置との対応関係を示す表示情報を更に記憶し、
前記制御手段は、前記記憶手段に記憶された前記表示情報を参照し、前記分割手段で分割された前記複数の部分画像のそれぞれを、前記複数の表示装置の対応する表示装置に送信するように前記通信手段を制御することを特徴とする請求項１乃至３のうちいずれか１項に記載の表示システム。
【請求項５】
前記分割手段は、前記第１の表示画素数情報を参照し、前記複数の部分画像のそれぞれが前記複数の表示装置のそれぞれの前記表示手段において表示画素数を変換することなく表示可能な画像の表示画素数となるように前記外部装置から入力される１つの画像を分割することを特徴とする請求項４に記載の表示システム。
【請求項６】
前記複数の表示装置のそれぞれは、
前記複数の部分画像のうち前記マルチ表示において前記複数の表示装置のそれぞれの前記表示手段が表示すべき部分画像と前記複数の表示装置との対応関係を示す表示情報を記憶する表示情報記憶手段と、
前記表示情報記憶手段に記憶された前記表示情報を参照し、前記外部装置から入力される１つの画像から前記表示すべき部分画像を抽出する抽出手段と、
を有することを特徴とする請求項１に記載の表示システム。
【請求項７】
前記外部装置は、前記少なくとも１つの表示装置から前記通信手段を介して送信される前記第２の表示画素数情報が表す表示画素数の画像を、前記少なくとも１つの表示装置に入力することを特徴とする請求項１乃至５のうちいずれか１項に記載の表示システム。
【請求項８】
前記外部装置は、前記少なくとも１つの表示装置から前記通信手段を介して送信される前記第２の表示画素数情報が表す表示画素数の画像を、前記複数の表示装置のそれぞれに入力することを特徴とする請求項６に記載の表示システム。
【請求項９】
前記表示手段は、
前記複数の部分画像のうち１つの部分画像を形成するための液晶パネルと、
前記液晶パネルに形成された前記部分画像をスクリーンに投影する投影光学系と、
を含み、
前記複数の表示装置のそれぞれの投影光学系が前記部分画像を前記スクリーンに投影することによって、前記１つの画像が前記スクリーンに表示されることを特徴とする請求項１乃至８のうちいずれか１項に記載の表示システム。
【請求項１０】
画像を表示する表示手段と通信手段とをそれぞれ有する複数の表示装置と、画像を入力する外部装置とを備え、前記外部装置から入力される１つの画像を分割した複数の部分画像を前記複数の表示装置で表示させて前記１つの画像を表示するマルチ表示を行う表示システムであって、
前記複数の表示装置のうち少なくとも１つの表示装置は、
前記複数の表示装置のそれぞれから、前記通信手段を介して前記表示手段において表示画素数を変換することなく表示可能な画像の表示画素数を表す第１の表示画素数情報を取得し、当該第１の表示画素数情報から前記マルチ表示を行う際に表示可能な画像の表示画素数を表す第２の表示画素数情報を算出する算出手段と、
前記算出手段で算出された前記第２の表示画素数情報を記憶する記憶手段と、
前記記憶手段に記憶された前記第２の表示画素数情報を前記外部装置に送信するように前記通信手段を制御する制御手段と、
を有し、
前記外部装置は、
前記少なくとも１つの表示装置から前記通信手段を介して送信される前記第２の表示画素数情報を受信する受信手段と、
前記受信手段で受信された前記第２の表示画素数情報が表す表示画素数の画像を、前記少なくとも１つの表示装置に入力する入力手段と、
を有することを特徴とする表示システム。
【請求項１１】
画像を表示する表示手段と通信手段とをそれぞれ有する複数の表示装置を備え、外部装置から入力される１つの画像を分割した複数の部分画像を前記複数の表示装置で表示させて前記１つの画像を表示するマルチ表示を行う表示システムの制御方法であって、
前記複数の表示装置のうち少なくとも１つの表示装置が、前記複数の表示装置のそれぞれから、前記通信手段を介して前記表示手段において表示画素数を変換することなく表示可能な画像の表示画素数を表す第１の表示画素数情報を取得し、当該第１の表示画素数情報から前記マルチ表示を行う際に表示可能な画像の表示画素数を表す第２の表示画素数情報を算出する算出ステップと、
前記複数の表示装置のうち少なくとも１つの表示装置が、前記算出ステップで算出された前記第２の表示画素数情報を記憶する記憶ステップと、
前記複数の表示装置のうち少なくとも１つの表示装置が、前記記憶ステップで記憶された前記第２の表示画素数情報を前記外部装置に送信するように前記通信手段を制御する制御ステップと、
を有することを特徴とする制御方法。
【請求項１２】
第１の表示装置と、第２の表示装置と、前記第１の表示装置および前記第２の表示装置が表示する画像を送信する外部装置とからなる表示システムであって、
前記第１の表示装置は、
前記外部装置から送信された画像を表示する第１の表示手段と、
前記第２の表示装置の表示画素数を取得する取得手段と、
前記第１の表示装置の表示画素数と、前記第２の表示装置の表示画素数とに基づいて、前記表示システムの表示画素数を算出する算出手段と、
前記算出手段により算出された前記表示システムの表示画素数を前記外部装置に通知する通知手段とを有し、
前記第２の表示装置は、
前記外部装置から送信された画像を表示する第２の表示手段と、
前記第１の表示装置に前記第２の表示装置の表示画素数を送信する送信手段とを有することを特徴とする表示システム。
【請求項１３】
前記第１の表示装置は、投影装置であることを特徴とする請求項１２に記載の表示システム。
【請求項１４】
前記第１の表示手段は、前記外部装置と接続されていることを特徴とする請求項１２又は１３に記載の表示システム。
【請求項１５】
前記第１の表示装置は、
前記外部装置から送信された画像を分割する分割手段と、
前記分割手段により分割された画像を前記第２の表示装置に送信する画像送信手段とを有することを特徴とする請求項１２乃至１４のうちいずれか１項に記載の表示システム。
【請求項１６】
前記分割手段は、前記第２の表示装置の表示画素数に基づいて前記外部装置から送信された画像を分割することを特徴とする請求項１５に記載の表示システム。
【手続補正２】
【補正対象書類名】明細書
【補正対象項目名】０００６
【補正方法】変更
【補正の内容】
【０００６】
上記目的を達成するために、本発明の一側面としての表示システムは、画像を表示する表示手段と通信手段とをそれぞれ有する複数の表示装置を備え、外部装置から入力される１つの画像を分割した複数の部分画像を前記複数の表示装置で表示させて前記１つの画像を表示するマルチ表示を行う表示システムであって、前記複数の表示装置のうち少なくとも１つの表示装置は、前記複数の表示装置のそれぞれから、前記通信手段を介して前記表示手段において表示画素数を変換することなく表示可能な画像の表示画素数を表す第１の表示画素数情報を取得し、当該第１の表示画素数情報から前記マルチ表示を行う際に表示可能な画像の表示画素数を表す第２の表示画素数情報を算出する算出手段と、前記算出手段で算出された前記第２の表示画素数情報を記憶する記憶手段と、前記記憶手段に記憶された前記第２の表示画素数情報を前記外部装置に送信するように前記通信手段を制御する制御手段と、を有することを特徴とする。